(57)【要約】  本発明は、メッセージ送信方法に関し、より詳細には、送信者が情報質疑入力窓にテキストを入力すれば、このテキストが検索語であるのかメッセージ表現であるのかを判断し、メッセージ表現である場合には、受信者にメッセージを送信するメッセージ送信方法および装置に関する。本発明の一実施形態によってメッセージを送信する方法は、送信者が情報質疑入力窓に入力したテキストを受信する段階と、受信されたテキストが検索語であるのかメッセージ表現であるのかを判断する段階と、このテキストがメッセージ表現であれば、メッセージの受信者を判断する段階（前記メッセージ表現は、前記メッセージを含む）と、受信者にメッセージを送信する段階とを含む。
2009508248.tif 000002
【特許請求の範囲】
【請求項１】
メッセージを送信する方法において、
送信者が情報質疑入力窓に入力したテキストを受信する段階と、
前記テキストが検索語であるのかメッセージ表現であるのかを判断する段階と、
前記テキストがメッセージ表現であると判断されれば、前記メッセージの受信者を判断する段階（前記メッセージ表現は、前記メッセージを含む）と、
前記受信者に前記メッセージを送信する段階と、
を含むことを特徴とするメッセージ送信方法。
【請求項２】
前記情報質疑入力窓は、検索サーバが提供するウェブページで検索語を入力するフィールド、ウェブブラウザのアドレス入力窓、および前記送信者のユーザ端末機に設置されたプログラムと連関した入力窓のうちの１つであることを特徴とする請求項１に記載のメッセージ送信方法。
【請求項３】
前記テキストが検索語であるのかメッセージ表現であるのかを判断する段階は、
前記テキストが予め定義されたメッセージ表現の形式に応じていれば、前記テキストをメッセージ表現であると判断することを特徴とする請求項１に記載のメッセージ送信方法。
【請求項４】
前記受信者と連関して、１つ以上の受信者表現およびこれに対応する受信連絡先を受信データベースに維持する段階、
をさらに含み、
前記受信者に前記メッセージを送信する段階は、
前記メッセージ表現に含まれた受信者表現を識別する段階と、
前記受信データベースを参照しながら、前記受信者表現と連関した受信連絡先を読み取る段階と、
前記メッセージを前記読み取られた受信連絡先に送信する段階と、
を含むことを特徴とする請求項１に記載のメッセージ送信方法。
【請求項５】
前記メッセージを前記読み取られた受信連絡先に送信する段階は、
前記受信連絡先の種類を判断する段階と、
前記受信連絡先の種類に応じて、前記受信連絡先と連関した所定のサーバに前記メッセージを送信する段階と、
を含むことを特徴とする請求項４に記載のメッセージ送信方法。
【請求項６】
前記受信者表現と連関した受信連絡先は複数であり、
前記メッセージを前記読み取られた受信連絡先に送信する段階は、
前記メッセージを前記読み取られた複数の受信連絡先すべてに送信することを特徴とする請求項４に記載のメッセージ送信方法。
【請求項７】
前記受信連絡先と連関した前記受信者表現は、複数であることを特徴とする請求項４に記載のメッセージ送信方法。
【請求項８】
前記受信者に前記メッセージを送信する段階は、
前記メッセージ表現に含まれた受信連絡先を識別する段階と、
前記メッセージを前記識別された受信連絡先に送信する段階と、
を含むことを特徴とする請求項１に記載のメッセージ送信方法。
【請求項９】
前記メッセージを前記識別された受信連絡先に送信する段階は、
前記受信連絡先の種類を判断する段階と、
前記受信連絡先の種類に応じて、前記受信連絡先と連関した所定のサーバに前記メッセージを送信する段階と、
を含むことを特徴とする請求項８に記載のメッセージ送信方法。
【請求項１０】
前記受信連絡先の種類は、移動通信端末機の機器番号、電話番号、ワイブロ（Ｗｉｂｒｏ）番号、電子メールアドレス、またはメッセンジャー表示名のうちの１つであることを特徴とする請求項４または９に記載のメッセージ送信方法。
【請求項１１】
メッセージを送信する方法において、
送信者が情報質疑入力窓に入力したテキストを受信する段階と、
前記テキストから所定の規則に従って受信者情報を抽出する段階と、
前記受信者に前記テキストに含まれたメッセージを送信する段階と、
を含むことを特徴とするメッセージ送信方法。
【請求項１２】
請求項１ないし１１のいずれか一項の方法を実行させるためのプログラムを記録したコンピュータ読み取り可能な記録媒体。
【請求項１３】
メッセージを送信する装置において、
送信者が情報質疑入力窓で入力したテキストを受信し、前記テキストが検索語であるのかメッセージ表現であるのかを判断するメッセージ判断モジュールと、
前記テキストがメッセージ表現であると判断されれば、前記メッセージの受信者を判断する受信者判断モジュール（前記メッセージ表現は、前記メッセージを含む）と、
前記受信者に前記メッセージを送信する送信モジュールと、
を含むことを特徴とするメッセージ送信装置。
【請求項１４】
前記受信者と連関して、１つ以上の受信者表現およびこれに対応する受信連絡先を維持する受信データベース、
をさらに含み、
前記送信モジュールは、
前記メッセージ表現に含まれた受信者表現を識別し、前記受信データベースを参照しながら前記受信者表現と連関した受信連絡先を読み取り、前記メッセージを前記読み取られた受信連絡先に送信することを特徴とする請求項１３に記載のメッセージ送信装置。
【請求項１５】
前記送信モジュールは、
前記受信連絡先の種類を判断し、前記受信連絡先の種類に応じて、前記受信連絡先と連関した所定のサーバに前記メッセージを送信することを特徴とする請求項１４に記載のメッセージ送信装置。
【請求項１６】
前記送信モジュールは、
前記メッセージに含まれた受信連絡先を識別し、前記メッセージを前記識別された受信連絡先に送信することを特徴とする請求項１３に記載のメッセージ送信装置。
【発明の詳細な説明】
【技術分野】
【０００１】
本発明は、メッセージ送信方法に関し、より詳細には、送信者が情報質疑の入力窓にテキストを入力すれば、このテキストが検索語であるのかメッセージ表現であるのかを判断し、メッセージ表現である場合には、受信者にメッセージを送信するメッセージ送信方法および装置に関する。
【背景技術】
【０００２】
今日、情報通信技術の発達に伴い、ユーザ端末機で送信者が受信者にメッセージを伝達することができる方法が開発されている。例えば、送信者が受信者の移動通信端末機にショートメッセージを送信する場合には、送信者は、自分のユーザ端末機でショートメッセージサービスサーバと連動しているウェブページに接続した後、ウェブページから提供されるメッセージ入力窓にメッセージを入力し、受信者の移動通信端末番号を入力して送信を選択すれば、このメッセージはショートメッセージサービスサーバに送信され、受信者の移動通信端末機に送信されるようになる。
【０００３】
また、これと同様に、送信者がユーザ端末機で電子メールサービスサーバと連動しているウェブページに接続してメッセージを入力した後、受信者の電子メールアドレスを入力すれば、電子メール提供サーバは、このメッセージを受信者の電子メールに送信するようになる。
【０００４】
このように、送信者がユーザ端末機上で受信者にメッセージを送信する方法は、多様に開発されている。しかしながら、送信者は、多様な方法のうちから１つを選択し、選択した方法に対応するサービスに接続してメッセージを入力しなければならないという短所があった。
【０００５】
すなわち、送信者は、電子メール、メッセンジャー、ショートメッセージ送信サービスなどのメッセージを送信するサービスのうちから１つを選択して受信者にメッセージを送信することはできるが、このようなサービスを用いるには、それぞれのサービスを提供しているウェブサーバに接続しなければならない不便さがあった。これだけでなく、上述したようなサービスのうちの１つ以上を用いながら、同時にメッセージを送信することができないという問題点もあった。
【０００６】
さらに、送信者が情報検索サービスなどの他のサービスを使用している最中に受信者にメッセージを送信したい場合には、別途のサーバに接続してメッセージを送信しなければならない不便さがあった。
【０００７】
このように、従来技術によれば、情報検索およびメッセージ送信は、極めて頻繁に用いられるサービスであるにも係らず、これら２つのサービスは、互いに分離したインターフェースを用いなければならないため、ユーザは、情報検索のためには情報検索用のインターフェースを利用し、メッセージ送信のためにはメッセージ送信用のインターフェースを利用しなければならない問題点があった。
【発明の開示】
【発明が解決しようとする課題】
【０００８】
本発明は、前記のような従来技術の問題点を解決するために案出されたものであって、所定のウェブサーバから提供されるウェブページまたはユーザ端末機に設置されたプログラムと連関した情報質疑入力窓にメッセージ表現を入力するだけで、受信者にメッセージを送信することができるメッセージ送信方法および装置を提供することを目的とする。
【０００９】
また、本発明は、送信者が多様な経路でメッセージを送信するために、複数のウェブページに接続したりプログラムを実行させたりしなくても、多様な経路でメッセージを送信することができるメッセージ送信方法および装置を提供することを他の目的とする。
【００１０】
また、本発明は、送信者が１つの受信者表現を複数の受信連絡先と連関して保存することで、グループを指定してメッセージを送信することができ、送信者が受信連絡先の種類に拘らず、グループを指定してメッセージを送信することができるメッセージ送信方法および装置を提供することを他の目的とする。
【００１１】
さらに、本発明は、送信者が情報質疑入力窓にメッセージ表現を入力するときに、受信連絡先が含まれている場合にも、これを識別して受信者にメッセージを送信することができるメッセージ送信方法および装置を提供することをさらに他の目的とする。
【課題を解決するための手段】
【００１２】
前記の目的を達成し、上述した従来技術の問題点を解決するために、本発明の一実施形態によってメッセージを送信する方法において、送信者が情報質疑入力窓に入力したテキストを受信する段階と、前記テキストが検索語であるのかメッセージ表現であるのかを判断する段階と、前記テキストがメッセージであると判断されれば、前記メッセージの受信者を判断する段階（前記メッセージ表現は、前記メッセージを含む）と、前記受信者に前記メッセージを送信する段階とを含む。
【００１３】
また、本発明の他の実施形態によってメッセージを送信する装置は、送信者が情報質疑入力窓に入力したテキストを受信し、前記テキストが検索語であるのかメッセージ表現であるのかを判断するメッセージ判断モジュールと、前記テキストがメッセージ表現であると判断されれば、前記メッセージの受信者を判断する受信者モジュール（前記メッセージ表現は、前記メッセージを含む）と、前記受信者に前記メッセージを送信する送信モジュールとを含む。
【発明の効果】
【００１４】
本発明によれば、送信者が所定のサーバから提供されるウェブページまたはユーザ端末機に設置されたプログラムを使用している最中に受信者にメッセージを送信したい場合に、ウェブページまたはユーザ端末機に設置されたプログラムと連関した入力窓にメッセージ表現を入力するだけで、受信者にメッセージを送信することができるため、別途にメッセージを送信するためにウェブページに接続したりプログラムを実行させたりする必要がないとう効果がある。
【００１５】
また、本発明によれば、受信者表現に対応する複数の受信連絡先にメッセージを一度に送信することができるため、送信者が多様な経路でメッセージを送信するために、複数のウェブページに接続したりプログラムを実行させたりしなくても、多様な経路でメッセージを送信することができる効果がある。
【００１６】
また、本発明によれば、送信者が１つの受信者表現を複数の受信連絡先と連関して保存することで、グループを指定してメッセージを送信することができる効果がある。
また、本発明によれば、送信者が受信連絡先の種類に拘らずに、グループを指定してメッセージを送信することができる効果がある。
【００１７】
さらに、本発明によれば、送信者が情報質疑入力窓にメッセージ表現を入力するときに、受信連絡先が含まれている場合にも、これを識別して受信者にメッセージを送信することができる効果がある。
【発明を実施するための最良の形態】
【００１８】
以下、添付の図面を参照しながら、本発明に係るメッセージ送信方法および装置について詳細に説明する。
図１は、本発明の一実施形態によってメッセージを送信する過程を示したフローチャートである。図１を参照すれば、本発明の一実施形態によってメッセージを処理する過程は、次の通りとなる。
【００１９】
段階Ｓ１０１で、本発明に係るメッセージ送信装置は、送信者が情報質疑入力窓に入力したテキストを受信する。ここで、情報質疑入力窓は、所定のサーバから提供されるウェブページでテキストを入力する入力窓、または送信者のユーザ端末機に設置されたプログラムと連関した入力窓のうちの１つである。
【００２０】
情報質疑入力窓は、所定の検索サーバが提供するウェブページで検索語を入力するフィールド、ウェブブラウザのアドレス入力窓、ユーザ端末機に設置されたアドレス記録プログラムで提供するアドレスを検索するための入力窓など、ユーザが所定のテキストを入力することができる入力窓などをすべて含む。
【００２１】
本発明のユーザ端末機は、ＰＤＡ（Ｐｅｒｓｏｎａｌ  Ｄｉｇｉｔａｌ  Ａｓｓｉｓｔａｎｔ）、スマートフォン（Ｓｍａｒｔ  ｐｈｏｎｅ）、ハンドヘルド（ｈａｎｄｈｅｌｄ）パソコン、携帯電話、ＭＰ３プレーヤなどのＣＤＭＡ（Ｃｏｄｅ  Ｄｉｖｉｓｉｏｎ  Ｍｕｌｔｉｐｌｅｘｉｎｇ  Ａｃｃｅｓｓ）モジュール、ブルートゥースモジュール、赤外線通信モジュール（ＩｒＤＡ）、有無線ＬＡＮカードなど所定の通信モジュールを備えることができ、所定のマイクロプロセッサを搭載することで、所定の演算能力を取り備えた端末機を通称する概念である。
【００２２】
段階Ｓ１０２で、メッセージ送信装置は、入力されたテキストが検索語であるのかメッセージ表現であるのかを判断する。このとき、入力されたテキストが予め定義されたメッセージ表現の形式に応じていれば、このテキストをメッセージ表現であると判断することができる。
【００２３】
本発明において、メッセージ表現とは、所定の規則に基づき、メッセージ送信装置で受信者に送信すべきメッセージを含んでいると判断されるテキストを意味する。メッセージ送信装置は、情報質疑入力窓に入力されたテキストがメッセージ表現であると判断されれば、このメッセージ表現に含まれたメッセージを受信者に送信する。
【００２４】
メッセージ表現は、送信者が受信者に送信されることを所望するメッセージ、受信者を識別するための受信者表現、または受信者の受信者連絡先を含む。受信者表現は、文字や記号で構成されている、メッセージの受信者を識別するための表現である。例えば、名前（例：ホン・ギルドン、キム博士）、ハングル．ハングル（例：
【００２５】
【数１】
2009508248.tif 000003
）、ＵＲＬ（Ｕｎｉｖｅｒｓａｌ  Ｒｅｓｏｕｒｃｅ  Ｌｏｃａｔｏｒ）、ＩＰアドレス、ドメイン名などのように、従来に受信者を識別するために用いられていた文字や記号の他にも、多様な形態を用いることができる。また、受信者表現として、受信者の電話番号、電子メールアドレスなどのような受信者連絡先が用いられることもできる。
【００２６】
予め定義されたメッセージ表現の形式は、ユーザの使用の便宜を考慮した上で多様な応用が可能である。例えば、テキストが所定の識別表現を含んでいる場合には、このテキストがメッセージ表現であると判断されるようになる。一例として、テキストが識別表現「→」を含んでいる場合には、このテキストがメッセージ表現であると判断されるようになる。
【００２７】
図２は、本発明の一実施形態によってテキストが入力された情報質疑入力窓を示した図である。図２を参照すれば、送信者は、所定の検索サーバから提供されるウェブページで検索語を入力するフィールド２０１に、テキスト「ご飯食べた？→ギルドン」を入力することができる。受信者表現がＵＲＬである場合には、「こんにちは→ｗｗｗ．ｓａｍｓｕｎｇ．ｃｏｍ／ｋｄｈｏｎｇ」のように用いることもできるし、受信者表現がドメイン名である場合には、「ホームページのオープンはいつですか？→ｗｗｗ．ｄａｕｍ．ｎｅｔ」のように用いることもできる。
【００２８】
メッセージ送信装置は、このようなテキストを受信し、テキストが「→」２０３を含んでいるため、このテキストをメッセージ表現であると判断する。
メッセージ表現は、メッセージである「ご飯食べた？」２０２、識別表現である「→」２０３、受信者表現である「ギルドン」２０４を含んでいる。
【００２９】
段階Ｓ１０３で、メッセージ送信装置は、テキストがメッセージ表現であると判断されれば、このメッセージの受信者を判断する。受信者は、メッセージ表現に含まれた受信者表現または受信者連絡先から判断される。本発明の一実施形態によれば、受信されたテキストをメッセージ表現として仮定し、受信されたテキストから所定の規則に従って受信者情報を抽出した後、受信者にテキストを含んだメッセージを送信する。例えば、受信したテキストをメッセージ表現として仮定し、受信されたテキストのうちの後ろの何バイトかを受信者情報として抽出するなどの規則を用いることができる。受信者情報は、受信者にメッセージを送信するための情報であって、受信者表現、受信者連絡先などを含む。
【００３０】
このとき、メッセージ送信装置は、メッセージ表現に含まれた受信者表現に対応する受信者連絡先を判断するために、受信データベースを維持する。
図３は、本発明のメッセージ送信装置に含まれる受信データベースの一例を示した図である。図３を参照すれば、受信データベースは、受信者表現３０１および受信連絡先３０２を含む。
【００３１】
受信者表現３０１は、メッセージ表現から受信者を識別するための構成である。
受信連絡先３０２は、受信者にメッセージを送信するための構成であって、受信連絡先の種類は、移動通信端末機の機器番号、電話番号、ワイブロ（Ｗｉｂｒｏ）番号、電子メールアドレス、ＩＰｖ４アドレス、ＩＰｖ６アドレス、またはメッセンジャー表示名のうちの１つ以上であり得る。
【００３２】
このとき、受信データベースに受信者表現と連関された受信連絡先は、複数であり得る。
例えば、受信データベースは、受信者表現である「ギルドン」に対応する受信者連絡先として、移動通信端末機の機器番号である「０１１−２２２−３３３３」および電子メールアドレスである「ｋｄ＠ａｂｃ．ｎｅｔ」を維持することができる。
【００３３】
また、これとは反対に、受信連絡先と連関した受信者表現も、複数で保存されることができる。例えば、受信連絡先である「０１０−２２２−３３３３」と連関した受信者表現は、「パク・ムンス」、「ｐａｒｋ」などのように多様に記録され、送信者が多様な受信者表現のうちの１つを選択してメッセージを送信できるようにする。
【００３４】
メッセージ送信装置は、受信したテキストから受信者表現を判断し、受信データベースを参照しながら、受信者表現と連関した受信連絡先を読み取る。
例えば、図２のテキストが入力されれば、メッセージ送信装置は、受信者表現である「ギルドン」２０４を識別し、図３の受信データベースを参照しながら、受信者表現「ギルドン」と連関した受信連絡先である「０１１−２２２−３３３３」および「ｋｄ＠ａｂｃ．ｎｅｔ」を読み取る。
【００３５】
段階Ｓ１０４で、メッセージ送信装置は、受信者にメッセージを送信する。
このとき、メッセージ送信装置は、受信連絡先の種類を判断し、判断された受信連絡先に応じて、受信連絡先と連関した所定のサーバにメッセージを送信する。本発明の一実施形態によれば、受信連絡先の種類に応じて相違したサーバを構成することもできるし、１つのサーバが複数の受信連絡先の種類に対するサーバを実行することもできる。特に、ドメイン形式を用いる場合には、ドメイン名のうちの一部を用いることで、該当するサーバを識別することもできる。例えば、「こんにちは→ホン・ギルドン．スウォン大学」の場合には、スウォン大学に該当するサーバに送信するし、「こんにちは→ホン・ギルドン．高麗大学」の場合には、高麗大学に該当するサーバにメッセージおよび／または受信連絡先を送信することができる。
【００３６】
受信連絡先の種類は、上述したように、移動通信端末機の機器番号、電話番号、ワイブロ（Ｗｉｂｒｏ）番号、電子メールアドレス、またはメッセンジャー表示名のうちの１つであり得るため、メッセージ送信装置は、受信連絡先の種類に応じて、受信連絡先と連関した所定のサーバにメッセージを送信する。
【００３７】
例えば、受信連絡先が移動通信端末機の機器番号である場合に、メッセージ送信装置は、メッセージを移動通信端末機のショートメッセージを処理するショートメッセージサービスサーバに送信するし、電子メールアドレスである場合には、電子メールサービスを提供する電子メールサービスサーバにメッセージを送信する。受信連絡先と連関したサーバとの通信と関連した情報は、メッセージ送信装置に予め保存されることができる。
【００３８】
例えば、図２のテキストが入力されれば、メッセージ送信装置は、受信者表現である「ギルドン」２０４を識別し、図３の受信データベースを参照しながら、受信者表現である「ギルドン」と連関した受信連絡先「０１１−２２２−３３３３」および「ｋｄ＠ａｂｃ．ｎｅｔ」を読み取り、受信連絡先「０１１−２２２−３３３３」および「ｋｄ＠ａｂｃ．ｎｅｔ」の種類を判断する。
【００３９】
受信連絡先「０１１−２２２−３３３３」は、移動通信端末機の機器番号であると判断され、メッセージ送信装置は、メッセージ「ご飯食べた？」および受信連絡先「０１１−２２２−３３３３」をショートメッセージサービスサーバに送信する。ショートメッセージサービスサーバは、受信連絡先「０１１−２２２−３３３３」に該当する移動通信端末機にメッセージ「ご飯食べた？」を送信する。
【００４０】
また、受信連絡先「ｋｄ＠ａｂｃ．ｎｅｔ」は、電子メールアドレスであると判断され、メッセージ送信装置は、メッセージ「ご飯食べた？」および受信連絡先「ｋｄ＠ａｂｃ．ｎｅｔ」を電子メールサービスサーバに送信する。電子メールサービスサーバは、受信連絡先「ｋｄ＠ａｂｃ．ｎｅｔ」の電子メールアドレスにメッセージ「ご飯食べた？」を送信する。
【００４１】
したがって、本発明は、送信者が所定のサーバから提供されるウェブページまたはユーザ端末機に設置されたプログラムを使用している最中にメッセージを送信したい場合には、ウェブページまたはユーザ端末機に設置されたプログラムと連関した入力窓にメッセージ表現を入力するだけで、受信者にメッセージを送信することができるため、別途にメッセージを送信するためにウェブページに接続したりプログラムを実行させたりする必要がない。
【００４２】
また、本発明は、受信者表現に対応する複数の受信連絡先にメッセージを一度に送信することができるため、送信者が多様な経路でメッセージを送信するために、複数のウェブページに接続したりプログラムを実行させなくても、多様な経路でメッセージを送信することができる効果がある。
【００４３】
すなわち、既存のメッセージ送信サービスを用いる場合には、送信者が受信者に電子メール、移動通信端末機、メッセンジャーサービスでメッセージを送信しようとするときに、送信者は、電子メールサービスを提供するウェブページ、移動通信端末機に文字メッセージ送信サービスを提供するウェブページ、メッセンジャーサービスを提供するウェブページに接続したり、このようなサービスを提供するプログラムを実行させなければならない不便さがあったが、本発明によれば、情報質疑入力窓にメッセージ表現を入力するだけで、送信者の電子メール、移動通信端末機、メッセンジャーにメッセージを同時に送信することができる。
【００４４】
また、受信者表現は、複数の受信連絡先と連関することができるため、本発明によれば、受信者は、１つの受信者表現を複数の受信連絡先と連関して保存することで、グループを指定してメッセージを送信することができる。また、本発明によれば、受信連絡先は、多様な種類で指定することができるため、送信者が受信連絡先の種類に拘らず、グループを指定してメッセージを送信することができる。
【００４５】
例えば、送信者は、受信者表現である「ムハン」に受信連絡先「０１１−４４４−５５５５」、「０１７−５５５−６６６６」、「ｍｈ１＠ｍｕｈａｎｎ．ｃｏｍ」、「ｍｈ２＠ｍｕｈａｎｎ．ｃｏｍ」などを入力することで、受信連絡先の種類に拘らずに、複数の受信連絡先に同時にメッセージを送信することができる。
【００４６】
また、他の実施形態によれば、本発明のメッセージ表現は、受信者表現ではなく、受信連絡先を含むことができる。この場合に、メッセージ送信装置は、メッセージ表現に含まれた受信連絡先をすぐに識別し、識別された連絡先にメッセージを送信する。
【００４７】
図４は、本発明の他の実施形態によって、テキストが入力された情報質疑入力窓を示した図である。図４を参照すれば、送信者は、所定の検索サーバから提供されるウェブページで検索語を入力するフィールド４０１に、テキスト「ご飯食べた？→０１０２２２３３３３」を入力することができる。
【００４８】
このとき、メッセージ送信装置は、このメッセージ表現に含まれた受信連絡先「０１０２２２３３３３」を識別し、メッセージ「ご飯食べた？」を識別された受信連絡先「０１０２２２３３３３」に送信する。
【００４９】
これと同様に、メッセージ送信装置は、受信連絡先の種類を判断し、判断された受信連絡先の種類に応じて、受信連絡先と連関した所定のサーバにメッセージを送信する。この例として、メッセージ送信装置は、受信連絡先「０１０２２２３３３３」が移動通信端末機の機器番号であると判断し、メッセージ「ご飯食べた？」および受信連絡先「０１０−２２２−３３３３」をショートメッセージサービスサーバに送信する。ショートメッセージサービスサーバは、受信連絡先である「０１０−２２２−３３３３」に該当する移動通信端末機にメッセージ「ご飯食べた？」を送信し、受信者にメッセージを送信する。
【００５０】
したがって、本発明は、送信者が情報質疑入力窓にメッセージ表現を入力するときに、受信連絡先が含まれている場合にも、これを識別して受信者にメッセージを送信することができる効果がある。
【００５１】
図１の段階Ｓ１０２の判断の結果、情報質疑入力窓に入力されたテキストがメッセージ表現でないと判断された場合には、本発明のメッセージ送信装置は、何らの動作も行わず、情報質疑入力窓と連関したサーバまたはプログラムに基づいた動作実行結果が送信者に提供されるようになる。
【００５２】
例えば、入力されたテキストがメッセージ表現でないと判断され、情報質疑入力窓と連関したサーバが検索サーバである場合には、検索サーバは、入力されたテキストを検索語であると判断し、この検索語に該当する検索結果を送信者に提供するようになる。また、実施形態によって、入力されたテキストをメッセージ表現として仮定し、テキストから受信者情報を抽出して受信者にメッセージを送信する過程を実行したが、送信が失敗した場合には、検索サーバは、入力されたテキストを検索語として判断し、この検索語に該当する検索結果を送信者に提供することができる。
【００５３】
なお、本発明に係るメッセージ送信方法は、コンピュータにより具現される多様な動作を実行するためのプログラム命令を含むコンピュータ読取可能な記録媒体を含む。当該記録媒体は、プログラム命令、データファイル、データ構造などを単独または組み合わせて含むこともでき、記録媒体およびプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。また、記録媒体は、プログラム命令、データ構造などを保存する信号を送信する搬送波を含む光または金属線、導波管などの送信媒体でもある。プログラム命令の例としては、コンパイラによって生成されるもののような機械語コードだけでなく、インタプリタなどを用いてコンピュータによって実行される高級言語コードを含む。前記したハードウェア要素は、本発明の動作を実行するために一以上のソフトウェアモジュールとして作動するように構成することができ、その逆もできる。
【００５４】
図５は、本発明の一実施形態に係るメッセージ送信装置の構成を示したブロック図である。図５を参照すれば、本発明の一実施形態に係るメッセージ送信装置は、メッセージ判断モジュール５０１と、受信者判断モジュール５０２と、送信モジュール５０３と、受信データベース５０４とを含んで構成される。
【００５５】
メッセージ判断モジュール５０１は、送信者が情報質疑入力窓で入力したテキストを受信し、このテキストが検索語であるのかメッセージ表現であるのかを判断する。上述したように、テキストが予め定義されたメッセージ表現の形式に応じていれば、このテキストをメッセージ表現として判断することができる。
【００５６】
受信者判断モジュール５０２は、テキストがメッセージ表現であると判断されれば、このメッセージの受信者を判断する。メッセージの受信者は、メッセージ表現に含まれた受信者表現または受信連絡先を識別することによって判断することができる。このとき、受信者表現に対応する受信連絡先は、受信データベース５０４を参照しながら読み取る。
【００５７】
送信モジュール５０３は、受信者にメッセージを送信する。送信モジュール５０３は、メッセージ表現に含まれた受信者表現を識別し、受信データベースを参照しながら受信者表現と連関した受信連絡先を読み取り、メッセージを読み取られた受信連絡先に送信する。
【００５８】
また、送信モジュールは、メッセージに含まれた受信連絡先をすぐに識別し、メッセージを識別された受信連絡先に送信することもできる。
このとき、送信モジュールは、受信連絡先の種類を判断し、判断された受信連絡先の種類に応じて、受信連絡先と連関した所定のサーバにメッセージを送信する。
【００５９】
受信データベース５０４は、受信者と連関して、１つ以上の受信者表現およびこれに対応する受信連絡先を維持する。受信データベース５０４は、図３を参照しながら詳細に説明した通りである。
【００６０】
以上、本発明に係るメッセージ送信装置について説明したが、上述した実施形態で説明した技術的内容は、図５のメッセージ送信装置でもそのまま適用することができるため、詳細な内容は省略する。
【００６１】
上述したように、本発明の好ましい実施形態を参照して説明したが、該当の技術分野において熟練した当業者にとっては、特許請求の範囲に記載された本発明の思想および領域から逸脱しない範囲内で、本発明を多様に修正および変更させることができることを理解することができるであろう。すなわち、本発明の技術的範囲は、特許請求の範囲に基づいて定められ、発明を実施するための最良の形態により制限されるものではない。
【図面の簡単な説明】
【００６２】
【図１】本発明の一実施形態によってメッセージを送信する過程を示したフローチャートである。
【図２】本発明の一実施形態によってテキストが入力された情報質疑入力窓を示した図である。
【図３】本発明のメッセージ送信装置に含まれる受信データベースの一例を示した図である。
【図４】本発明の他の実施形態によってテキストが入力された情報質疑入力窓を示した図である。
【図５】本発明の一実施形態に係るメッセージ送信装置の構成を示したブロック図である。
【図１】
2009508248.tif 000004
【図２】
2009508248.tif 000005
【図３】
2009508248.tif 000006
【図４】
2009508248.tif 000007
【図５】
2009508248.tif 000008
【国際調査報告】
2009508248.tif 000009
2009508248.tif 000010